(57)【要約】【課題】  机上に設置して容易に使用できるように、小型化かつ操作性に優れた画像読取記録装置を提供する。【解決手段】  原稿を積載する原稿台と、原稿台に沿って移動しながら原稿画像を読み取る光学手段を有する原稿読取手段と、原稿読取手段の下方に配置され画像を形成するためのシートを支持するシート支持手段と、原稿読取手段の側方上部かつシート支持手段の上部に配置され、シート支持手段に支持されているシートにインクを吐出して画像を形成するインクジェット記録手段と、インクジェット記録手段で画像が形成されたシートを原稿読取手段の上方へと排出するシート排出手段とを有し、シートの搬送方向と、原稿読取手段における光学手段の移動方向を略直角になるように構成する。【選択図】  図１
2006245903.tif 000002
【特許請求の範囲】
【請求項１】
原稿を積載する原稿台と、
前記原稿台に沿って移動しながら原稿画像を読み取る光学手段を有する原稿読取手段と、
前記原稿読取手段の下方に配置され、画像を形成するためのシートを支持するシート支持手段と、
前記原稿読取手段の側方上部かつ前記シート支持手段の上部に配置され、前記シート支持手段に支持されているシートにインクを吐出して画像を形成するインクジェット記録手段と、
前記インクジェット記録手段で画像が形成されたシートを前記原稿読取手段の上方へと排出するシート排出手段とを有し、
シートの搬送方向と、前記原稿読取手段における光学手段の移動方向が略直角であることを特徴とする画像読取記録装置。
【請求項２】
原稿を積載する原稿台と、
前記原稿台に沿って移動しながら原稿画像を読み取る光学手段を有する原稿読取手段と、
前記原稿読取手段の下方に配置され、画像を形成するためのシートを支持するシート支持手段と、
前記原稿読取手段の側方上部かつ前記シート支持手段の上部に配置され、前記シート支持手段に支持されているシートにインクを吐出して画像を形成するインクジェット記録手段と、
前記インクジェット記録手段で画像が形成されたシートを前記原稿読取手段の上方へと排出するシート排出手段とを有し、
シートの搬送方向と、前記原稿読取手段における光学手段の移動方向が略直角で、
前記シート支持手段が前記原稿読取手段と前記インクジェット記録手段の装置投影面から突出しないように配置されたことを特徴とする画像読取記録装置。
【請求項３】
一辺を回動軸として前記原稿台を開放可能に設けられ、前記原稿台に載置された原稿を原稿台側に押圧するカバー部材を有し、前記カバー部材の原稿押え面とは反対側の面上に、前記シート排出手段から排出されたシートを積載するためのシート積載部を有することを特徴とする請求項1〜２に記載の画像読取記録装置。
【請求項４】
前記カバー部材の回動軸が前記シート排出手段側に設けられ、シート排出方向と略平行であることを特徴とする請求項３に記載の画像読取記録装置。
【請求項５】
シート排出方向を装置前面とし、
装置本体の操作を行う操作部を装置前面から操作できる位置に配置したことを特徴とする請求項１〜４に記載の画像読取記録装置。
【請求項６】
前記シート支持手段は引き出し方式の収納カセットであり、前記収納カセットの引き出し方向は装置前面であることを特徴とする請求項１〜５に記載の画像読取記録装置。
【請求項７】
前記シート支持手段に支持されているシートをＵターンして前記インクジェット記録手段へ搬送する搬送手段とを有することを特徴とする請求項１〜６に記載の画像読取記録装置。
【請求項８】
装置本体に回動可能に保持され、前記シート排出手段の上方に設けられ、外装とカートリッジ交換蓋を兼ねた蓋体を有することを特徴とする請求項１〜７に記載の画像読取記録装置。
【請求項９】
前記蓋体の回動およびカートリッジ交換を装置前面より行えることを特徴とする請求項１〜８に記載の画像読取記録装置。
【請求項１０】
前記インクジェット記録手段は、カラー記録を行えることを特徴とする請求項１〜９に記載の画像読取記録装置。
【発明の詳細な説明】
【技術分野】
【０００１】
本発明は、原稿台上に載置した原稿の画像を読み取る機能と、搬送するシート上に画像を形成する機能とを具備した画像読取記録装置に関するものである。
【背景技術】
【０００２】
従来、この種の画像読取記録装置としては、例えば複写機、ファクシミリ装置あるいは複合機などがある。
【０００３】
これらの画像記録装置では、原稿台に載置された原稿の原稿画像を走査して画像を読み取るフラットベットタイプの画像読取手段（フラットベットスキャナ）を備えた装置が知られている。このような装置では、原稿台に載値する原稿を押えるなどのための圧板を開閉自在に回動させる構成としている。
【０００４】
そこで、装置全体の構成としては、装置本体の最上部に読取部を配置し、かつ装置本体を一体型するためには、記録部を読取部の下側に配置し、さらに記録紙排出口も読取部の下側に配置する構成としていた。
【０００５】
しかし、このような構成では、記録部で印字された記録紙を排出する場合、読取部と記録部との間に排出することが可能なように、排紙積載部をかなりの空間で確保した構成としていたために装置が縦に大型化してしまうという欠点があった。
【０００６】
そこで、装置全体を小型にする構成として、図６に示すように装置本体の下部に記録紙を載置する記録紙カセット５１を配置し、かつその上部に読取部５２を配置し、さらに読取部及び記録紙カセットの側方に記録部５３を配置するような構成が提案されている。
【０００７】
尚、本発明に関する従来技術としては、例えば特開2000-184123号公報及び特開平5-207211号公報記載の技術がある。
【０００８】
又、従来例としては、例えば特許文献１と特許文献２をあげることが出来る。
【特許文献１】特開2000-184123号公報
【特許文献２】特開平5-207211号公報
【発明の開示】
【発明が解決しようとする課題】
【０００９】
しかしながら、上記のような従来技術の場合には、以下のような問題があった。
【００１０】
上述した従来技術の構成において、特開2000-184123号公報記載の技術では、記録紙カセットからのシート搬送方向と読取部の副走査方向を同じにし、記録部を読取部の側方に配置したため、装置奥行き方向が大きくなるという課題があった。
【００１１】
また特開平5-207211号公報記載の技術では、記録紙の搬送方向を読取部の副走査方向を直交させている構成も提案されているが、記録部に熱転写記録を用い、記録カセットの側方にインクフィルムロールおよび記録手段を配置したため、装置奥行き方向が大きくなるという課題があった。またカラー記録に対応する場合には、インクフィルムロールが複数必要となり、それらの配置によりさらに装置奥行き方向が大きくなるという課題があった。さらにインクフィルムロールの交換を行う際に装置奥側での操作になるため、メンテナンス、操作性が悪いという課題があった。
【００１２】
本発明は上記の従来技術の課題を解決するためになされたものであり、その目的とするところは、机上に設置して容易に使用できるように、小型化かつ操作性に優れた画像読取記録装置を提供するところにある。
【課題を解決するための手段】
【００１３】
上記目的を達成するために本発明は以下のような構成を備える。
【００１４】
本発明に係わる画像読取記録装置の第１の構成は、原稿を積載する原稿台と、前記原稿台に沿って移動しながら原稿画像を読み取る光学手段を有する原稿読取手段と、前記原稿読取手段の下方に配置され、画像を形成するためのシートを支持するシート支持手段と、前記原稿読取手段の側方上部かつ前記シート支持手段の上部に配置され、前記シート支持手段に支持されているシートにインクを吐出して画像を形成するインクジェット記録手段と、前記インクジェット記録手段で画像が形成されたシートを前記原稿読取手段の上方へと排出するシート排出手段とを有し、シートの搬送方向と、前記原稿読取手段における光学手段の移動方向が略直角であることを特徴とする。
【００１５】
本発明に係る画像読取記録装置の第２の構成は、原稿を積載する原稿台と、前記原稿台に沿って移動しながら原稿画像を読み取る光学手段を有する原稿読取手段と、前記原稿読取手段の下方に配置され、画像を形成するためのシートを支持するシート支持手段と、前記原稿読取手段の側方上部かつ前記シート支持手段の上部に配置され、前記シート支持手段に支持されているシートにインクを吐出して画像を形成するインクジェット記録手段と、前記インクジェット記録手段で画像が形成されたシートを前記原稿読取手段の上方へと排出するシート排出手段とを有し、シートの搬送方向と、前記原稿読取手段における光学手段の移動方向が略直角で、前記シート支持手段が前記原稿読取手段と前記インクジェット記録手段の装置投影面から突出しないように配置されたことを特徴とする。
【００１６】
本発明に係わる画像読取記録装置の第３の構成は、一辺を回動軸として前記原稿台を開放可能に設けられ、前記原稿台に載置された原稿を原稿台側に押圧するカバー部材を有し、前記カバー部材の原稿押え面とは反対側の面上に、前記シート排出手段から排出されたシートを積載するためのシート積載部を有することを特徴とする。
【００１７】
本発明に係わる画像読取記録装置の第４の構成は、前記カバー部材の回動軸が前記シート排出手段側に設けられ、前記シート排出方向と略平行であることを特徴とする。
【００１８】
本発明に係わる画像読取記録装置の第５の構成は、シート排出方向を装置前面とし、装置本体の操作を行う操作部を装置前面から操作できる位置に配置したことを特徴とする。
【００１９】
本発明に係わる画像読取記録装置の第６の構成は、前記シート支持手段は引き出し方式の収納カセットであり、収納カセット引き出し方向は装置前面であることを特徴とする。
【００２０】
本発明に係わる画像読取記録装置の第７の構成は、前記シート支持手段に支持されているシートをＵターンして前記インクジェット記録手段へ搬送する搬送手段とを有することを特徴とする。
【００２１】
本発明に係わる画像読取記録装置の第８の構成は、装置本体に回動可能に保持され、前記シート排出手段の上方に設けられ、外装とカートリッジ交換蓋を兼ねた蓋体を有することを特徴とする。
【００２２】
本発明に係わる画像読取記録装置の第９の構成は、前記蓋体の回動およびカートリッジ交換を装置前面より行えることを特徴とする。
【００２３】
本発明に係わる画像読取記録装置の第１０の構成は、前記インクジェット記録手段は、カラー記録を行えることを特徴とする。
【００２４】
前記手段により原稿読取手段の下方にシート支持手段、原稿読取手段の側方上部かつ前記シート支持手段の上部にインクジェット記録手段を配置し、シートの搬送方向と、前記原稿読取手段における光学手段の移動方向を略直角に構成したことにより、装置奥行き方向を小型化することができる。
【００２５】
またインクジェット記録手段で画像が形成されたシートを原稿読取手段の上方へと排出するシート排出手段とを設けたことにより、記録済みシートを積載するための積載部を、装置の側面側や装置の内部に設ける必要がなくなり、装置の小型コンパクト化を図ることができる。
【００２６】
またシートの搬送方向と、前記原稿読取手段における光学手段の移動方向が略直角に配置し、シート支持手段が前記原稿読取手段より装置奥側に配置したことによりさらに装置奥行き方向を小型化することができる。
【００２７】
また一辺を回動軸として原稿台を開放する方向に回動可能に設けられ、原稿台に載置された原稿を原稿台側に押圧するカバー部材を有し、カバー部材の原稿押え面とは反対側の面上に、シート排出手段から排出されたシートを積載するためのシート積載部を有することにより、シート積載トレイを設ける必要がなく、コストダウンすることができる。
【００２８】
また装置本体の操作を行う操作部を装置前面から操作できるように配したことにより、操作性が向上する。
【００２９】
シート支持手段を引き出し方式の収納カセットとし、収納カセット引き出しを装置前面から操作できるように配したことにより、操作性が向上する。
【００３０】
また、装置本体に回動可能に保持され、シート排出手段の上方に設けられ、外装とカートリッジ交換蓋を兼ねた蓋体を設け、カートリッジ交換や記録部のメンテナンスなどを装置前面から操作できるようにしたことにより、容易に行うことができ、操作性が向上する。
【００３１】
また装置奥側の上方に記録部を配置することにより、インクジェット記録手段による印字精度を最大限に発揮する重力方向印字を可能とし、さらに印字済みシートを精度良く保つ水平排紙を可能とすることができる。
【００３２】
またインクジェット記録手段を配置し、記録ヘッドを交換することにより、簡単にカラー印字を行うことができる。
【発明の効果】
【００３３】
以上説明したように本発明によれば、原稿読取部の下方に記録紙カセットを設け、原稿読取部の側方上部および記録紙カセットの上部にインクジェット記録部を配置し、また原稿読取部の光学手段の移動方向と記録紙カセットの長手方向およびシート搬送方向を直交に配置し、原稿読取部の上部に記録部で画像が形成されたシートを排出するようにした配置構成をとったことにより、省スペースかつ良好な操作性を有する画像読取記録装置を提供することができる。
【００３４】
またシート支持手段が前記原稿読取手段より装置奥側に配置したことによりさらに装置奥行き方向を小型化することができる。
【００３５】
また原稿台に載置された原稿を原稿台側に押圧する圧板を、原稿台を開放する方向に回動可能に設け、原稿押え面とは反対側の面上に、シート排出手段から排出されたシートを積載するためのシート積載部を有することにより、シート積載トレイを設ける必要がなく、コストダウンすることができる。
【００３６】
また装置奥側の上方に記録部を配置することにより、インクジェット記録手段による印字精度を最大限に発揮する重力方向印字を可能とし、さらに記録面が上向き水平に圧板に排出されるため、記録状況が逐次確認でき、印字面を汚さない装置の取り扱いが便利になる。
【００３７】
また、装置本体に回動可能に保持され、シート排出手段の上方に設けられ、外装とカートリッジ交換蓋を兼ねた蓋体を設けたことにより、カートリッジ交換や記録部のメンテナンスなどを容易に行うことができ、操作性が向上する。
【００３８】
またインクジェット記録手段を配置し、記録ヘッドを交換することにより、簡単にカラー印字を行うことができる。
【００３９】
また操作部オペレーション、記録紙の交換、原稿のセット、記録ヘッドの交換等全てフロントアクセスでき、机上に設置して容易に使用することができる。
【発明を実施するための最良の形態】
【００４０】
以下、図を参照して本発明の最も特徴となる画像読取記録装置の実施の形態を詳細に説明する。
【００４１】
まず、実施形態に係る画像読取記録装置の各部構成要素の配置を簡単に説明する。図１は画像読取記録装置の外観斜視図であり、図２は画像読取記録装置の概略構成断面図、図３は画像読取記録装置の概略部品上面配置図である。
【００４２】
図に示したように画像読取記録装置は、原稿読取手段としてのフラットベットスキャナ方式の原稿読取部Ａと、原稿読取部Ａの装置奥側上部に配置されている画像形成手段であるインクジェット記録装置の記録部Ｂと、原稿読取部Ａの下方に記録シート1を支持収納し、装置手前側Ｅに引き出し可能な記録前シート用積載部を構成する記録紙カセット（記録紙収納カセット）Ｃが設けられている。
【００４３】
また図３に示すように制御用基板４１を原稿読取部Ａの下方で記録紙カセットＣの装置右側、電源４２を記録紙カセットＣの装置左側に配置している。
【００４４】
また、記録部Ｂで記録印字された記録シート1が略水平に排出される排出口２を有するシート排出手段である排出部Ｄは、原稿読取部Ａで読み取られる原稿を押圧するカバー部材である圧板３の装置奥側に上部に位置している。
【００４５】
ここで、圧板３は原稿を原稿台側に押圧するカバーするための機能を備えると共に、原稿を押える側の反対側の面（上面）においては、排出口２から排出される記録済みのシートを積載するための記録済みシート積載部（排紙トレイ）としての機能も備えている。原稿のカバー部材としての圧板３は、圧板ヒンジ４を回動中心として装置奥側方向に回動可能に構成されている。
【００４６】
また記録部Ｂにおいて、記録カバー５が記録カバーヒンジ６を回動中心に上カバー７に回動可能に構成されている。
【００４７】
また５１は操作部であり液晶表示部とダイアルキー他の操作キーが図示のように配設されている。
【００４８】
次に読取部Ａについて説明する。
【００４９】
図４は画像読取記録装置の読取部部品上面配置図である。ここで原稿読取部Ａの長手方向およびイメージセンサの移動方向Ｆと、記録紙カセットＣの長手方向及び記録紙の搬送方向Ｇは直交するように配置されている。
【００５０】
図に示すように、読取部Ａでは原稿読取手段としてのイメージセンサ３０がイメージセンサホルダ３１に取り付けられており、イメージセンサホルダ３１がガイドレール３２に固定されており、図示していない読取駆動部により図示しないベルトが駆動されるに従ってイメージセンサ３０はガイドレール３２に沿って矢印Ｆで示す装置左右方向に水平に駆動される。イメージセンサ３０の上に原稿台としてのコンタクトガラス３３があり、このコンタクトガラス３３の原稿載置面上に原稿面を下向きにセットして、イメージセンサ３０の矢印Ｆ方向の読取走査により、原稿の画像情報を読み取る。
【００５１】
本実施例において、原稿のサイズは例えばＡ４サイズであり、イメージセンサの長手方向読み取り可能幅は、２１０ｍｍ、読み取り搬送距離は、２９７ｍｍである。
【００５２】
圧板ヒンジ４で回動可能な圧板３のコンタクトガラス３３に接する面は、スポンジ、あるいは発泡ウレタンなどの材料で形成され、原稿をコンタクトガラス３３に均一に押し付けるように構成されている。また、圧板ヒンジ４を原稿読取部Ａに対して上下方向に取り外し可能なように図示しない読取部カバーの穴に嵌合している。
【００５３】
次に記録シート1の流れについて概略説明を行う。一連の記録紙搬送路は矢印Ｇで示されている。
【００５４】
最初に記録紙カセットＣについて説明する。
【００５５】
記録シート1としては、普通紙やプラスチックシート等及びその他の材質であって、インクを転写し得るものを用いることが可能である。本実施例では、Ａ４サイズにカットされた普通紙を記録シート1として用いる。そして記録シート1は、複数枚重ねてカセットフレーム２１に図示しない記録紙高さ規制板により限られた枚数が収納積載される。カセットフレーム２１は図示しないスライダによって記録シート１のサイズに合わせて記録シート１の側面をガイドできるように構成されている。
【００５６】
また図２に於いて、記録シート１の底部に構成している中板２２は、図示しない回転軸を中心に回動可能に支持され、図示しない中板ばねにより記録シート１を分離ローラ２３へと接触させる。また、図示しない駆動系により分離ローラ２３が図示する矢印方向に１回転制御されており、ゴム部２３ａに記録シート１が接触すると前述中板２２の付勢力を得て、分離ローラ２３および分離パット２４によって１枚だけ分離され記録部ＢまでＵターン搬送される。
【００５７】
次に、記録部Ｂについて説明をする。
【００５８】
本装置の記録系としては、一般にインクジェット記録装置と称されるものを採用している。
【００５９】
図２に於いて、記録部Ｂはパソコン等の上位機器から伝送された画信号、文字データ等の画信号に応じて、あるいは読取部Ａで読み取った画像信号に応じて記録紙カセットＣより供給された記録シート1に画像を記録するものである。
【００６０】
詳細に説明をすると、記録紙押え１０は、ＬＦローラ１１側に押圧されてあり記録紙カセットＣより搬送された記録シート１の上ガイドを兼ねながら、ピンチローラ１０ａをＬＦローラ１１に対向させている。そして記録カートリッジ１２とプラテン板１３との間を記録シート１が搬送され、記録カートリッジ１２により重力方向にインクを吐出することにより記録動作を行う。本実施例に於いては、図示しないモータ及び駆動系により記録カートリッジ１２は、キャリッジ１２ａに着脱可能に搭載され、キャリッジシャフト１４を摺動することで、記録シート１の幅方向（記録シート搬送方向に直行する方向）に対して移動しながら、シリアル印字するよう構成している。
【００６１】
次に印字記録後の記録シート１は、記録カートリッジ１２の下流に位置する排出部Ｄに搬送され、印字がなされた記録紙を装置の下流に搬送するの排紙ローラ１５ａと、排紙ロ−ラの対向側にあり記録紙の印字面に接触してもインクが転写されることの無い材質で構成された拍車ローラ１５ｂにより印字面を汚さないように記録シート１を図示する矢印方向Ｇの機外へと搬送し、記録紙排紙トレイを兼ねた読取部Ａの圧板３上にストレートに排出される。
【００６２】
また、記録カートリッジ１２の装填や交換は、記録カバー５が記録部の上部に設けられたことにより、操作者による記録カバー５の開閉で簡単に行うことができる。即ち、図２に示したように圧板３及び読取部Ａに干渉しないように、記録カバー５の開閉を行うことができるように構成されており、記録カートリッジ１２の着脱を自在として操作者の操作性及びメンテナンス性を向上させている。さらに、記録シート１の補充は、上述したように記録カセットＣの装置手前方向Ｅへの引き出し操作により簡単に行うことができる。
【００６３】
本発明の実施形態の一例として、記録シートとしてＡ４サイズの普通紙を１００枚収納可能な記録紙カセットＣの上に、Ａ４サイズ原稿を読み取るフラットベットスキャナ（原稿読取部）Ａを置き、装置奥側上部にインクジェット記録部Ｂを配置した構成とすれば、インクジェット記録部Ｂの記録カートリッジ１２の動作範囲に必要な大きさと、フラットベットスキャナのイメージセンサ３０の動作範囲がほぼ同じのため、装置本体の大きさは装置横幅３７０ｍｍ、装置奥行き３５０ｍｍ、装置高さ１８０ｍｍ程度の寸法サイズを達成することができ、設置面範囲が略Ａ３サイズも必要としないので個人のデスク上に本画像読取記録装置を設置して、操作者が座ったまま操作可能である。
【００６４】
以上、本発明の一実施例の形態について説明をしたが、本発明はこの実施の形態に限られるものではなく、その要旨を逸脱しない範囲においてさらに種々主の形態を採用することができるのはもちろんである。
【００６５】
例えば、図５に示すように操作部５２を装置前面に配置した構成の複写機、ファクシミリ装置あるいは複合機に適用しても構わない。また実施の形態は原稿のカバー部材としての圧板３は、圧板ヒンジ４を回動中心として装置奥側方向に回動可能に構成されているが、圧板ヒンジ４を装置左右どちらかに配置し、圧板３を左右方向に回動可能に構成した複写機、ファクシミリ装置あるいは複合機に適用しても構わない。また制御用基板４１を記録紙カセットＣの左側、電源４２を記録紙カセットＣの右側に配置したものであったが、制御用基板を記録紙カセットＣの右側、電源を記録紙カセットＣの左側に配置しても構わない。さらに原稿読取部にイメージセンサを用いた場合を説明したが、光学ミラーを移動させる方式のフラットベットスキャナであっても構わない。
【図面の簡単な説明】
【００６６】
【図１】本発明を最も良く示す実施例における画像読取記録装置の外観斜視図である。
【図２】本発明における画像読取記録装置の概略構成断面図である。
【図３】本発明における画像読取記録装置の概略部品上面配置図である。
【図４】本発明における画像読取記録装置の読み取り部部品上面配置図である。
【図５】本発明の他の実施例における画像読取記録装置の外観斜視図である。
【図６】従来例：特開平5-207211の概略構成断面図である。
【符号の説明】
【００６７】
１  記録シート
２  排出口
３  圧板
５  記録カバー
７  上カバー
１０  記録紙押さえ
１０ａ  ピンチローラ
１１  ＬＦローラ
１２  記録カートリッジ
１２ａ  キャリッジ
１３  プラテン板
１４  キャリッジシャフト
１５ａ  排紙ローラ
１５ｂ  拍車ローラ
２１  カセットフレーム
２２  中板
２３  分離ローラ２３
２３ａ  ゴム部
２４  分離パット
３０  イメージセンサ
３１  イメージセンサホルダ３１
３２  ガイドレール
３３  コンタクトガラス
４１  制御用基板
４２  電源
Ａ  画像読取部
Ｂ  記録部
Ｃ  カセット
Ｄ  排出部
【図１】
2006245903.tif 000003
【図２】
2006245903.tif 000004
【図３】
2006245903.tif 000005
【図４】
2006245903.tif 000006
【図５】
2006245903.tif 000007
【図６】
2006245903.tif 000008